(57)【要約】【課題】異なるセンサ間で生成されたコンテンツを時系列に従って表示する（出力する）。【解決手段】本発明は、センサにおいて生成されたコンテンツのコンテンツ生成時刻と共にコンテンツを取得し、コンテンツ記憶手段に格納し、自装置内の内部時刻とコンテンツ生成時刻との差分を求め、コンテンツ生成時刻に、差分を付加したメタデータを該コンテンツに付与または、該差分に基づいて該コンテンツ生成時刻を修正して、該コンテンツ記憶手段に該コンテンツと共に格納し、コンテンツ記憶手段に格納されたコンテンツを取得して、該コンテンツに付加されたメタデータまたは、修正された生成時刻に基づいて時系列に該コンテンツを並べ替えて表示手段に表示する。【選択図】図１
2009284102.tif 000002
【特許請求の範囲】
【請求項１】
複数のセンサで取得したコンテンツを時刻に基づいて管理するコンテンツ生成時刻管理装置であって、
前記センサにおいて生成されたコンテンツのコンテンツ生成時刻と共にコンテンツを取得し、コンテンツ記憶手段に格納するコンテンツ収集手段と、
自装置内の内部時刻と前記コンテンツ生成時刻との差分を求める時刻差分計算手段と、
前記コンテンツ生成時刻に、前記差分を付加したメタデータを該コンテンツに付与または、該差分に基づいて該コンテンツ生成時刻を修正して、該コンテンツ記憶手段に該コンテンツと共に格納する修正手段と、
を有することを特徴とするコンテンツ生成時刻管理装置。
【請求項２】
前記修正手段により前記コンテンツ記憶手段に格納された前記コンテンツを取得して、該コンテンツに付加された前記メタデータまたは、修正された前記生成時刻に基づいて時系列に該コンテンツを並べ替えて表示手段に表示する表示制御手段を
更に有する請求項１記載のコンテンツ生成時刻管理装置。
【請求項３】
複数のセンサで取得したコンテンツを時刻に基づいて管理するコンテンツ生成時刻管理方法であって、
サーバは、
前記センサにおいて生成されたコンテンツのコンテンツ生成時刻と共にコンテンツを取得し、コンテンツ記憶手段に格納するコンテンツ収集ステップと、
自装置内の内部時刻と前記コンテンツ生成時刻との差分を求める時刻差分計算ステップと、
前記コンテンツ生成時刻に、前記差分を付加したメタデータを該コンテンツに付与または、該差分に基づいて該コンテンツ生成時刻を修正して、該コンテンツ記憶手段に該コンテンツと共に格納する修正ステップと、
を行うことを特徴とするコンテンツ生成時刻管理方法。
【請求項４】
前記修正ステップにより前記コンテンツ記憶手段に格納された前記コンテンツを取得して、該コンテンツに付加された前記メタデータまたは、修正された前記生成時刻に基づいて時系列に該コンテンツを並べ替えて表示手段に表示する表示制御ステップを
更に行う請求項３記載のコンテンツ生成時刻管理方法。
【請求項５】
請求項１または２に記載のコンテンツ生成時刻管理装置を構成する各手段としてコンピュータを機能させるための情報空間探索プログラムを格納したことを特徴とするコンピュータ読み取り可能な記録媒体。
【発明の詳細な説明】
【技術分野】
【０００１】
本発明は、コンテンツ生成時刻管理装置及び方法及びコンピュータ読み取り可能な記録媒体に係り、特に、複数のセンサで取得されたコンテンツを収集管理するコンテンツ収集統合管理システムにおいて、コンテンツが生成された時刻を管理するためのコンテンツ生成時刻管理装置及び方法及びコンピュータ読み取り可能な記録媒体に関する。
【背景技術】
【０００２】
現在、複数のセンサにおいて、各コンテンツを生成する際に、それぞれのセンサの内部時計の時刻がそのコンテンツの生成時刻メタデータとして付与されている。また、コンテンツ統合収集管理システムにおいては、複数のセンサで生成されたコンテンツ群を収集し、収集された各コンテンツの生成時刻メタデータを並べ替えて利用者に提示することが可能である。
【０００３】
さらに、予め、各センサの時刻を統一する方法（例えば、特許文献１参照）は報告されており、その時刻を元に、時系列に各コンテンツを並べることも可能である。
【特許文献１】特開平７−１２８４６３号公報
【発明の開示】
【発明が解決しようとする課題】
【０００４】
しかしながら、上記従来の方法では、各センサ内部時計にずれが生じていた場合、同じ撮影対象に関して、複数のセンサで収集したコンテンツの時間的因果関係が実際のものと異なる恐れがある。
【０００５】
本発明は、上記の点に鑑みなされたもので、異なるセンサ間で生成されたコンテンツを時系列に従って表示する（出力する）ことが可能なコンテンツ生成時刻管理装置及び方法及びコンピュータ読み取り可能な記録媒体を提供することを目的とする。
【課題を解決するための手段】
【０００６】
図１は、本発明の原理構成図である。
【０００７】
本発明（請求項１）は、複数のセンサで取得したコンテンツを時刻に基づいて管理するコンテンツ生成時刻管理装置であって、
センサにおいて生成されたコンテンツのコンテンツ生成時刻と共にコンテンツを取得し、コンテンツ記憶手段に格納するコンテンツ収集手段１３０と、
自装置内の内部時刻とコンテンツ生成時刻との差分を求める時刻差分計算手段１５０と、
コンテンツ生成時刻に、差分を付加したメタデータを該コンテンツに付与または、該差分に基づいて該コンテンツ生成時刻を修正して、該コンテンツ記憶手段１４０に該コンテンツと共に格納する修正手段１６０と、を有する。
【０００８】
また、本発明（請求項２）は、修正手段１６０によりコンテンツ記憶手段に格納されたコンテンツを取得して、該コンテンツに付加されたメタデータまたは、修正された生成時刻に基づいて時系列に該コンテンツを並べ替えて表示手段に表示する表示制御手段１７０を更に有する。
【０００９】
図２は、本発明の原理を説明するための図である。
【００１０】
本発明（請求項３）は、複数のセンサで取得したコンテンツを時刻に基づいて管理するコンテンツ生成時刻管理方法であって、
サーバは、
センサにおいて生成されたコンテンツのコンテンツ生成時刻と共にコンテンツを取得し、コンテンツ記憶手段に格納するコンテンツ収集ステップ（ステップ１）と、
自装置内の内部時刻とコンテンツ生成時刻との差分を求める時刻差分計算ステップ（ステップ２）と、
コンテンツ生成時刻に、差分を付加したメタデータを該コンテンツに付与または、該差分に基づいて該コンテンツ生成時刻を修正して、該コンテンツ記憶手段に該コンテンツと共に格納する修正ステップ（ステップ３）と、を行う。
【００１１】
また、本発明（請求項４）は、修正ステップ（ステップ３）によりコンテンツ記憶手段に格納されたコンテンツを取得して、該コンテンツに付加されたメタデータまたは、修正された生成時刻に基づいて時系列に該コンテンツを並べ替えて表示手段に表示する表示制御ステップ（ステップ４）を更に行う。
【００１２】
本発明（請求項５）は、請求項１または２に記載のコンテンツ生成時刻管理装置を構成する各手段としてコンピュータを機能させるための情報空間探索プログラムを格納したコンピュータ読み取り可能な記録媒体である。
【発明の効果】
【００１３】
上記のように、本発明によれば、各センサの内部時計で記録されたコンテンツの生成時刻を、コンテンツ統合収集管理システムの内部時計に合わせることにより、異なるセンサ間で生成されたコンテンツを時系列に従って表示することが可能となる。これにより、現実に近い各コンテンツ間の因果関係の把握を、情報閲覧者に提供するコンテンツ統合収集管理システムが実現できる。
【発明を実施するための最良の形態】
【００１４】
以下、図面と共に本発明の実施の形態を説明する。
【００１５】
図３は、本発明の一実施の形態におけるコンテンツ生成時刻管理装置の構成を示す。
【００１６】
同図に示すコンテンツ生成時刻管理装置１００は、時刻取得部１１０、内部時計１２０、コンテンツ収集部１３０、コンテンツ記憶部１４０、時刻差分計算部１５０、修正部１６０、表示制御部１７０から構成される。
【００１７】
また、センサ２００は、内部時計２１０、時刻通知部２２０、時刻付与部２３０を有する。
【００１８】
上記のように、コンテンツを生成するセンサ２００は、内部時計２１０を有し、コンテンツ生成時にそのときの時刻を内部時計２１０から取得して、コンテンツの生成時刻として、コンテンツのメタデータに付与する。また、各センサ２００は、コンテンツ統合収集管理システムのコンテンツ生成時刻管理装置１００と接続され、接続した際、コンテンツ生成時刻管理装置１００の時刻取得部１１０の要求に応じて、時刻通知２２０より部内部時計２１０の時刻を送信する。
【００１９】
コンテンツ生成時刻管理装置１００では、コンテンツ収集部１３０において複数のセンサ２００で生成されたコンテンツ群を収集し、コンテンツ記憶部１４０に格納する。その際、時刻取得部１１０において各センサ２００に対して内部時計２１０の時刻を要求し、その時刻を取得する。各センサ２００（ｎとする）とコンテンツ生成時刻管理装置１００との接続時において、時刻差分計算部１５０は、この各センサ２００の内部時計２１０の時刻と、コンテンツ生成時刻管理装置１００の内部時計１２０の時刻との差分△ｔｎを計算する。修正部１６０は、コンテンツ記憶部１４０に格納されているコンテンツ（ｋとする）の生成時刻メタデータｔｋと、補正生成時刻データｔ'ｋ＝ｔｋ+△ｔｎを当該コンテンツの管理生成時刻メタデータとしてコンテンツ記憶部１４０に格納する。修正する場合には、ｔｋ＝ｔｋ+△ｔｎとして格納する。表示制御部１７０は、コンテンツ記憶部１４０から各コンテンツを読み出して、コンテンツを並べ替える。このとき、管理用生成時刻メタデータを用いることで、時系列にしたがってコンテンツを並べ替えて表示装置３００に表示する。
【００２０】
図４は、本発明の一実施の形態における処理の流れを示す図である。
【００２１】
センサ２００で生成され、生成時刻が付与されたコンテンツ群をコンテンツ生成時刻管理装置１００のコンテンツ収集部１３０で取得し、コンテンツ記憶部１４０に格納する（ステップ１０１）。その際、コンテンツ生成時刻管理装置からセンサ２００の内部時計２１０による現在時刻を要求し（ステップ１０２）、センサ２００の時刻通知部２２０はそのときの時刻を通知する。時刻差分計算部１５０において、センサ内部時刻とコンテンツ生成時刻管理装置１００の内部時計１２０の時刻との差分△ｔを算出し（ステップ１０３）、コンテンツ収集部１３０で収集されたコンテンツのコンテンツ生成時刻に差分△ｔを付加したものを新たなメタデータとして各コンテンツに付与、または、修正する（ステップ１０４）。
【００２２】
以上の処理は複数のセンサ２００に対しても行われる。
【００２３】
図５は、本発明の一実施の形態における処理の例を示す図である。
【００２４】
以下では、センサ２００をディジタルカメラ、コンテンツ生成時刻管理装置１００をサーバとして説明する。
【００２５】
複数のディジタルカメラ（センサ２００）で撮影された写真（コンテンツ）に対し、各ディジタルカメラの持つ内部時計２１０に従い、時刻付与部２３０において生成時刻をメタデータとして記録する。これらの写真を１つのサーバ（コンテンツ生成時刻管理装置１００）で管理する場合、各写真をディジタルカメラ２００からサーバ１００にアップロードする場合に、サーバ１００からの要求に基づき、各ディジタルカメラ２００の時刻付与部２３０において自分の内部時計２１０を写真と共にコンテンツ生成時刻管理装置１００に送信する。サーバ１００の時刻差分計算部１５０は、各ディジタルカメラ２００の内部時計２１０とサーバ１００の内部時計１２０との差分を計算し、修正部１６０において各写真の生成時刻に差分を付与して、生成時刻を補正し、それをサーバ１００で管理する際の生成時刻として、コンテンツに付与してコンテンツ記憶部１４０に格納する。表示制御部１７０は、コンテンツ記憶部１４０に格納されている生成時刻が補正されたコンテンツを読み出して、生成時刻の時系列順にコンテンツを並べ替えて表示する。
【００２６】
この処理により、サーバ１００の内部時刻が基準となり、異なるディジタルカメラ２００で撮影された写真も、時系列を合わせて表示することが可能となる。
【００２７】
また、コンテンツ生成時刻管理装置１００が、センサ２００に現在時刻を問い合わせる方式ではなく、センサ２００がコンテンツ群をコンテンツ生成時刻管理装置１００に送信する際に、内部時計時刻を同時に送信する方法も考えられる。これにより、コンテンツ生成時刻管理装置１００の時刻取得部１１０が不要となる。
【００２８】
なお、センサ１００に電波時計を装備し、時刻を合わせる方法も考えられるが、電波時計装置を具備するより、本発明のソフトウェアで対応した方が低コストで実現することができる。
【００２９】
なお、図３に示すコンテンツ生成時刻管理装置１００の構成の構成要素の動作をプログラムとして構築し、コンテンツ生成時刻管理装置１００として利用されるコンピュータにインストールする、または、ネットワークを介して流通させることが可能である。
【００３０】
また、構築されたプログラムをハードディスクや、フレキシブルディスク・ＣＤ−ＲＯＭ等の可搬記憶媒体に格納し、コンピュータにインストールする、または、配布することが可能である。
【００３１】
なお、本発明は、上記の実施の形態に限定されることなく、特許請求の範囲内において種々変更・応用が可能である。
【産業上の利用可能性】
【００３２】
本発明は、ディジタルカメラやビデオカメラ、または、その他のコンテンツを生成する装置からアップロードされるコンテンツの生成時刻を管理する技術に適用可能である。
【図面の簡単な説明】
【００３３】
【図１】本発明の原理構成図である。
【図２】本発明の原理を説明するための図である。
【図３】本発明の一実施の形態におけるコンテンツ生成時刻管理装置の構成図である。
【図４】本発明の一実施の形態における処理の流れを示す図である。
【図５】本発明の一実施の形態における処理の例を示す図である。
【符号の説明】
【００３４】
１００  コンテンツ生成時刻管理装置
１１０  時刻取得部
１２０  内部時計
１３０  コンテンツ収集手段、コンテンツ収集部
１４０  コンテンツ記憶手段、コンテンツ記憶部
１５０  時刻差分計算手段、時刻差分計算部
１６０  修正手段、修正部
１７０  表示制御手段、表示制御部
２００  センサ
２１０  内部時計
２２０  時刻通知部
２３０  時刻付与部
３００  表示装置
【図１】
2009284102.tif 000003
【図２】
2009284102.tif 000004
【図３】
2009284102.tif 000005
【図４】
2009284102.tif 000006
【図５】
2009284102.tif 000007